(57)【要約】【課題】  滑らかな円弧状に湾曲して可撓性を有すバンドの両先端に耳カップを取付けた耳カバー装置の提供。【解決手段】  バンド２の両先端には第１軸４ａ,４ｂを設け、第１軸４ａ，４ｂから延びる軸芯５ａ，５ｂにアーム３ａ，３ｂを回転出来るように取付け、そしてアーム先端には耳カップ１ａ，１ｂを設けると共にアーム先端の位置は耳カップ中心から偏芯している。【選択図】    図１
2014033399.tif 000002
【特許請求の範囲】
【請求項１】
概略円弧状に湾曲して可撓性を有すバンドの両先端に耳カップを取付けた耳カバー装置において、上記バンドの両先端には第１軸を設け、第１軸から延びる軸芯にアームを回転出来るように取付け、そしてアーム先端には耳カップを設けると共にアーム先端の位置は耳カップ中心から偏芯していることを特徴とする耳カバー装置。
【請求項２】
上記アームを伸縮可能とした請求項１記載の耳カバー装置。
【請求項３】
上記アーム先端に第２軸を設けて耳カップを第２軸を中心として回転出来るように取付けた請求項１、又は請求項２記載の耳カバー装置。
【発明の詳細な説明】
【技術分野】
【０００１】
本発明は冬の寒さから耳を保護する為の、又はオーディオ用イヤホーンやその類似品などを組み込んで構成する耳カバー装置に関するものである。
【背景技術】
【０００２】
耳カバーにもその用途により色々知られている。例えば、冬の寒さから耳を保護する為の耳カバー、大きな騒音を伴う工場で仕事をする場合に、該騒音を遮る為の耳カバー、またオーディオを聞く場合に耳に装着する為の耳カバーなど色々と存在している。これら耳カバーとしての一般的な形態は、頭部に掛ける為に円弧状に湾曲したバンドと、該バンドの先端に取付けた耳カップを有している。
【０００３】
図５は従来の一般的な耳カバー装置を頭部に装着した場合を示している。円弧状に湾曲しているバンド（イ）はバネ性を備えていることで、先端に取付けた耳カップ（ロ）、（ロ）は耳に押し当てられる。従って、身体を動かしても耳カップは位置ズレすることなく安定して耳に装着される。
【０００４】
ところで、耳カバーを装着する場合、人によって、バンド（イ）を頭部（ハ）の上に位置する場合、又はバンド（イ）を頭部の後方に位置させる場合、さらには顔の前側（胸元）に配置する場合がある。該バンド（イ）は頭部（ハ）の上に位置させて装着するように製作されている為に、頭部（ハ）の後方や胸元に位置させる場合には、その長さがダブ付いてしまうことがある。
【０００５】
特開平１０−７９９９４号に係る「耳カバー装置」は、個人の耳を保護するためのイヤーマフに関するものである。
装着者の頭部又は頸部の背面に延在する耳カバー装置は、可撓性バンドとその両端に取付けられた二つの耳カップによって形成され、このバンドはその可撓性により、両耳カップ部材の間の空間を拡大してカバー装置の後頭部への装着を可能にするように構成されている。各耳カップは、中心開口を有する円錐台状フレーム部分を具え、布が耳カップのこの円錐台状部分と可撓性バンドとを被覆している。円錐台状部分は布と共にポケットを形成し、耳の保温と保護と共に快適性を与えるために適当な材料が使用できる。イヤホーンをポケット内に挿入すれば、耳保護装置とヘッドホーンとの組合せが可能となり、耳カップをバンドにヒンジ止めして、不使用時にはカバー装置を折り畳めるようにしている。
【特許文献１】特開平１０−７９９９４号に係る「耳カバー装置」
【発明の開示】
【発明が解決しようとする課題】
【０００６】
このバンドはその可撓性により、両耳カップ部材の間の空間を拡大してカバー装置の後頭部への装着を可能としている。しかし、バンドに可撓性を持たせただけでは十分でない。本発明が解決しようとする課題はこの問題点であり、バンドの位置が如何様であっても、耳カップを耳に安定して装着することが出来ると共に、使わない時にはコンパクト化する耳カバー装置を提供する。
【課題を解決するための手段】
【０００７】
本発明に係る耳カバー装置は、概略円弧状に湾曲した可撓性を有すバンドの両先端に耳カップを取付けており、耳カバー装置としての基本形態は従来のものと共通している。本発明では上記バンドの両先端には第１軸を設け、この第１軸からアームを延ばし、該アーム先端には第２軸を介して耳カップを取付けている。ただし、第２軸は耳カップの中心から偏芯している。そして、上記アームは第１軸から延びる軸芯に回転出来るように連結すると共に、スライド出来る構造と成っていて、その長さは伸縮するように構成している。
【０００８】
上記第１軸を中心として耳カップを先端に取付けたアームは回転し、また上記第２軸を中心として耳カップは回転してその向きを変えることが出来る。さらに、アームは第１軸から延びる軸芯と連結している基部材に設けたガイドにスライド部材がスライド可能に取付けられてアームは伸縮可能とし、第２軸はスライド部材の先端に設けられて耳カップが取付けられている。ここで、上記アームは伸縮出来ない一体構造とする場合もあり、またアーム先端に第２軸を介すことなく耳カップを取付けることもある。
【発明の効果】
【０００９】
本発明の耳カバーはバンドの両先端に取付けている耳カップを耳に当てて装着することが出来る。ここで、バンドの先端には伸縮するアームを連結している為に、円弧状に湾曲したバンドを頭部の上側に配置して装着したり、また頭部の後方に配置して装着することが出来る。頭部の上側に配置する場合にはその長さが長く、頭部の後方に配置する場合にはその長さが短くなる為に、上記アームを伸縮することで調整することが出来る。
【００１０】
また、耳カップは第２軸を中心として回転することで、その位置を変えることが出来る。すなわち、アーム先端の第２軸に対しての耳カップは、前側、後ろ側、及び上側、さらに下側とその位置は自由である。そして、アームはバンドに設けた第１軸から延びる軸芯を中心として回転してバンドと同一面に配置することが出来る為に、頭部から取り外した場合にはコンパクトに収まるようになる。
【図面の簡単な説明】
【００１１】
【図１】本発明に係る耳カバー装置を示す実施例。
【図２】耳カバー装置の両耳カップをバンドの内側に回転した場合。
【図３】耳カップをバンドの内側に収めてバンドが内側に縮んだ場合。
【図４】本発明に係る耳カバー装置を示す他の実施例。
【図５】従来の一般的な耳カバー装置を頭部に装着している場合。
【発明を実施するための形態】
【００１２】
図１は本発明に係る耳カバーを示す実施例であり、同図の１ａ，１ｂは耳カップ、２はバンド、そして３ａ，３ｂはアームを表している。同図において上記耳カップ１ａの向きはバンド２と同一面とし、他方の耳カップ１ｂの向きはバンド２に対して垂直と成っている。上記バンド２は滑らかな円弧状に湾曲した可撓性のある部材で構成され、該バンドの両先端部には第１軸４ａ，４ｂを設けている。バンド２の形状は滑らかに湾曲した円弧状としているが、概略円弧状である限りその具体的な形状は問わないことにする。そして、この第１軸４ａ，４ｂから軸芯５ａ，５ｂが延び、この軸芯５ａにアーム３ａが取付けられ、軸芯５ｂにはアーム３ｂが取付けられている。
【００１３】
従って、アーム３ａは軸芯５ａを中心として回転し、アーム３ｂは軸芯５ｂを中心として回転することが出来るように成っている。ここで、アーム３ａは２つの部材で構成され、該アーム３ａの先端には第２軸６ａを介して耳カップ１ａが取付けられている。同じく、アーム３ｂも２つの部材で構成され、該アーム３ｂの先端には第２軸６ｂを介して耳カップ１ｂが取付けられている。
【００１４】
上記アーム３ａは軸芯５ａに嵌って連結している基部材７ａとスライド部材８ａから成り、スライド部材８ａは基部材７ａに形成しているガイドに沿って長手方向にスライドすることが出来る。その為に、アーム３ａはその長さが伸び、耳カップ１ａの位置は変化する。
【００１５】
同じく、上記アーム３ｂは軸芯５ｂに嵌って連結している基部材７ｂとスライド部材８ｂから成り、スライド部材８ｂは基部材７ｂに形成しているガイドに沿って長手方向にスライドすることが出来る。その為に、アーム３ｂはその長さが伸び、耳カップ１ｂの位置は変化することが出来る。
【００１６】
アーム３ａの先端に設けた第２軸に取付けられる耳カップ１ａは、同図に示すように該耳カップ１ａの中心ではなく、偏芯した位置と成っている。その為に、耳カップ１ａが第２軸６ａを中心として回転するならば、耳カップ１ａの位置が変化する。同図に示す耳カップ１ａの位置は最も上側（バンド側）に位置している状態であり、第２軸６ａを中心として回転するならば耳カップ１ａの位置は、該バンド２及び第２軸６ａに対して前方、後方、及び下方へ変位する。
【００１７】
同じく、アーム３ｂの先端に設けた第２軸６ｂに取付けられる耳カップ１ｂは、同図に示すように該耳カップ１ｂの中心ではなく、偏芯した位置と成っている。その為に、耳カップ１ｂが第２軸６ｂを中心として回転するならば、耳カップ１ｂの位置が変化する。
【００１８】
同図に示す耳カップ１ｂの位置は最も上側（バンド側）に位置している状態であり、第２軸６ｂを中心として回転するならば耳カップ１ｂの位置は、該バンド２及び第２軸６ｂに対して前方、後方、及び下方へ変位する。
このように、耳カップ１ａ，１ｂを偏芯した位置に取付けるならば、回転した場合に該耳カップ１ａ，１ｂの位置が変位すると共に、耳に当った時に撓んでその接触が柔らかくなる。
【００１９】
ところで、図１に示している耳カバー装置の場合、第１軸４ａ，４ｂを中心として耳カップ１ａ，１ｂは旋回し、軸芯５ａ，５ｂを軸として耳カップ１ａ，１ｂは回転することでその向きを変え、また該軸芯５ａ，５ｂに嵌って連結しているアーム３ａ，３ｂが伸縮することで、耳カップ１ａ，１ｂは上下動し、さらに耳カップ１ａ，１ｂはアーム３ａ，３ｂの先端に設けている第２軸６ａ，６ｂを中心として旋回することが出来る。
【００２０】
図２は両耳カップ１ａ，１ｂを軸芯５ａ，５ｂを軸として回転してその向きを変え、バンド２と同一面に配置し、そして、第１軸４ａ，４ｂを中心としてアーム３ａ，３ｂを回転した場合である。両耳カップ１ａ，１ｂはその一部が重なり合って円弧状に湾曲したバンド２の内側に収まる。しかも、図３に示すように両耳カップ１ａ，１ｂがさらに大きく重なり合って内側に縮むことになる。すなわち、バンド２は滑らかに湾曲した円弧状を成しているが、可撓性があって撓み変形することが出来る。
【００２１】
すなわち、耳カップ１ａ，１ｂが耳に当った場合、バンド２が内側に撓む弾性力によって、耳カップ１ａ，１ｂは耳に柔らかく接する。その為に、頭部に装着した耳カバー装置は位置ズレすることなく安定することが出来る訳で、頭部から取外すならばバンド２は内側に縮むことに成る。その為に、収納する場合には図３に示すように、両耳カップ１ａ，１ｂは一部が重なり合ったコンパクトな収容状態と成る。
【００２２】
図４は本発明に係る他の実施例を示す耳カバー装置である。この耳カバー装置は第１軸４ａ，４ｂを有し、該第１軸４ａ，４ｂを中心としてアーム３ａ，３ｂは回転することが出来る。ただし、該アーム３ａ，３ｂは伸縮することはない一体的な形態と成っている。また、耳カップ１ａ，１ｂはアーム３ａ，３ｂの先端に取付けられているが、第２軸を有していない。
【００２３】
そこで、アーム３ａ，３ｂは第１軸４ａ，４ｂから延びる軸芯５ａ，５ｂを中心として回転することで、耳カップ１ａ，１ｂはバンド２と同一面となり、そして、第１軸４ａ，４ｂを中心として回転するならば耳カップ１ａ，１ｂは前記図２、図３に示すように収まることが出来る。
【００２４】
そして、図４に示す耳カバー装置の耳カップ１ａ，１ｂにはカバー９ａ，９ｂが取付けられている。カバー９ａ，９ｂは伸縮可能なゴム製パット又は布製パットで構成され、外周縁が耳カップ１ａ，１ｂの外輪１０ａ，１０ｂに嵌着することで取付けられている。ここで、ゴム製又は布製のカバー９ａ，９ｂは耳を覆い、寒さから耳を保護することが出来る。
【００２５】
本発明の耳カバー装置は冬の寒さから耳を保護する場合、ヘッドホーンとしてＣＤ等の音楽を聴く場合、また大きな騒音を遮断する場合など、その用途は色々存在する。本発明では、これら各用途に応じて耳カップ１ａ，１ｂに目的を達成するための部材を取付けることが出来る。例えば、上記図４に示すようなカバー９ａ，９ｂ、スピーカーを組み込んだ部材などを取付けることが出来る。冬の寒さから耳を保護する為にカバー９ａ，９ｂに羽毛を取付けることも可能である。
【符号の説明】
【００２６】
１   耳カップ
２   バンド
３   アーム
４   第１軸
５   軸芯
６   第２軸
７   基部材
８   スライド部材
９   カバー
10   外輪
【図１】
2014033399.tif 000003
【図２】
2014033399.tif 000004
【図３】
2014033399.tif 000005
【図４】
2014033399.tif 000006
【図５】
2014033399.tif 000007